(57)【特許請求の範囲】
【請求項１】
電池のインピーダンスを測定する測定装置において、
測定用交流信号を発生する交流信号発生手段と、
前記交流信号発生手段により発生された前記測定用交流信号が印加された前記電池の電圧を検出する電圧検出手段と、
前記電圧検出手段により検出された前記電池の電圧値を基に前記インピーダンスを測定するインピーダンス測定手段と、
前記交流信号発生手段による前記測定用交流信号の発生を制御する制御手段と
を備え、
前記制御手段は、
前記交流信号発生手段により発生された前記測定用交流信号のＮ（Ｎは自然数）周期ごとに割り込みを発生するタイマ機能を有し、
前記インピーダンス測定手段による測定期間においては、前記割り込みを許可せず、
前記インピーダンス測定手段による測定期間が終了したのち、前記割り込みを許可し、
許可された前記割り込みが発生した場合、前記交流信号発生手段を制御して、前記測定用交流信号を停止させる
ことを特徴とする測定装置。
【請求項２】
請求項１に記載の測定装置において、
前記交流信号を発生しない状態で、前記電池の両端の電圧をサンプリングして、サンプリング結果の平均値を求めることにより、前記電池の直流電圧値を測定する直流電圧値測定手段
をさらに備え、
前記電圧検出手段は、前記直流電圧値測定手段により測定された前記電池の直流電圧値の逆方向電圧が印加された信号を、ゲインアンプを用いて増幅することにより前記電圧を検出する
ことを特徴とする測定装置。
【請求項３】
電池のインピーダンスを測定する測定装置の測定方法において、
測定用交流信号を発生する交流信号発生ステップと、
前記交流信号発生ステップの処理により発生された前記測定用交流信号のＮ周期（Ｎは自然数）ごとに割り込みを発生する割り込み発生ステップと、
前記交流信号発生ステップの処理により発生された前記測定用交流信号が印加された前記電池の電圧を検出する電圧検出ステップと、
前記電圧検出ステップの処理により検出された前記電池の電圧値を基に前記インピーダンスを測定するインピーダンス測定ステップと
を含み、
前記インピーダンス測定ステップの処理による測定期間においては、前記割り込みを許可せず、
前記インピーダンス測定ステップの処理による測定期間が終了したのち、前記割り込みを許可し、
許可された前記割り込みが発生した場合、前記測定用交流信号を停止する
ことを特徴とする測定方法。
【請求項４】
電池のインピーダンスを測定する測定装置において実行されるプログラムであって、
測定用交流信号の発生を制御する交流信号発生制御ステップと、
前記交流信号発生制御ステップの処理により発生された前記測定用交流信号のＮ周期（Ｎは自然数）ごとに割り込みを発生する割り込み発生ステップと、
前記交流信号発生制御ステップの処理により発生された前記測定用交流信号が印加された前記電池の電圧の検出を制御する電圧検出制御ステップと、
前記電圧検出制御ステップの処理により検出された前記電池の電圧値を基に前記インピーダンスを測定するインピーダンス測定ステップと
を含み、
前記インピーダンス測定ステップの処理による測定期間においては、前記割り込みを許可せず、
前記インピーダンス測定ステップの処理による測定期間が終了したのち、前記割り込みを許可し、
許可された前記割り込みが発生した場合、前記測定用交流信号を停止する
ことを特徴とするプログラム。
【発明の詳細な説明】
【技術分野】
【０００１】
本発明は、測定装置および測定方法、ならびにプログラムに関する。
【背景技術】
【０００２】
電池の内部インピーダンスを測定する場合、被測定電池に対して所定周波数の交流測定信号が供給され、その状態における被測定電池の端子間電圧値および電流値が測定される。
【０００３】
このインピーダンス測定は、多くの場合、被測定電池が起電力（電池電圧）を持った状態で行われる。そのため、従来、被測定電池の直流成分が測定回路内に流れ込まないように、交流測定信号の発生部と被測定電池との間に直流阻止用のコンデンサを接続するとともに、電圧の測定部の入力段にも直流阻止用のコンデンサを接続して測定を実施するようになされていた（例えば、特許文献１）。
【０００４】
しかしながら、上述した技術では、測定用交流信号の周波数が低周波数である場合に大容量のコンデンサが必要となる。大容量のコンデンサを充電するには長時間を要するばかりでなく、その充電に伴って被測定電池が放電することになる。そうすると、被測定電池の状態（例えば、電池内部の温度）が変化し、これによって電池内部の反応抵抗等が変化してしまうことがあるため、測定精度が下がってしまう恐れがある。
【０００５】
そのため、測定回路内に直流阻止用のコンデンサを設けることなく、被測定電池に交流信号を加え、その交流信号による被測定電池の端子間電圧と被測定電池に流れる電流とから被測定電池の内部インピーダンスの測定を可能とする技術がある（例えば、特許文献２）
【先行技術文献】
【特許文献】
【０００６】
【特許文献１】特開平１１−１７８１９７号公報
【特許文献２】特開２０１４−１００２８号公報
【０００７】
図１を参照して、測定回路内に直流阻止用のコンデンサを設けることなく、交流信号による被測定電池の端子間電圧と被測定電池に流れる電流とから被測定電池の内部インピーダンスを測定するインピーダンス測定回路について説明する。
【０００８】
図１のインピーダンス測定装置は、被測定電池Ｂに測定用の交流信号を供給する交流測定信号発生部１０と、被測定電池Ｂの端子間電圧を測定する電圧測定部２０と、被測定電池Ｂに流れる電流を検出する電流検出部３０と、インピーダンス等を算出する測定制御部４０とを備えている。所定の電池電圧（起電力）＋Ｖｂを持った状態で、その内部インピーダンスが測定される。被測定電池Ｂによる直流成分の測定回路内への流れ込みを防止するため、第１直流電圧発生部１１と第２直流電圧発生部２２とが用いられる。
【０００９】
第１直流電圧発生部１１は、第１開閉スイッチ１２を直列に備えた状態で、交流測定信号発生部１０と、被測定電池Ｂの一方の端子である＋側の端子Ｔ１との間に接続される。第１直流電圧発生部１１は、オペアンプ（演算増幅器）１１ａからなり、その＋入力端子（非反転入力端子）には、可変直流電源１１ｂが接続されている。この場合、可変直流電源１１ｂは正電源として、その正極側が＋入力端子に接続され、負極側は接地に接続されている。また、オペアンプ１１ａの−入力端子（反転入力端子）側には入力抵抗Ｒ１が接続されているとともに、−入力端子と出力端子との間には帰還抵抗Ｒ２が接続されている。この構成により、第１直流電圧発生部１１は、可変直流電源１１ｂにて設定された電圧に応じた正極（＋）の直流電圧を発生する。
【００１０】
電圧測定部２０は、被測定電池Ｂの端子Ｔ１，Ｔ２間の電圧を検出する差動増幅器２１を備え、第２直流電圧発生部２２は差動増幅器２１の出力側に接続されている。第２直流電圧発生部２２も、オペアンプ（演算増幅器）２２ａからなり、その＋入力端子（非反転入力端子）には、可変直流電源２２ｂが接続されるが、この場合、可変直流電源２２ｂは負電源として、その負極側が＋入力端子に接続され、正極側は接地に接続されている。また、オペアンプ２２ａの−入力端子（反転入力端子）側には入力抵抗Ｒ３が接続されているとともに、−入力端子と出力端子との間には帰還抵抗Ｒ４が接続されている。この構成により、第２直流電圧発生部２２は、可変直流電源２２ｂにて設定された電圧に応じた負極（−）の直流電圧を発生する。第２直流電圧発生部２２の出力側には、増幅器２３を介してＡ／Ｄ変換器２４が接続されている。
【００１１】
電流検出部３０には、帰還抵抗Ｒ５を有するオペアンプ３１よりなる電流−電圧変換器が用いられるが、電流検出部３０と被測定電池Ｂの他方の−端子Ｔ２との間には、第２開閉スイッチ３２が接続される。電流検出部（電流−電圧変換器）３０の出力側には、増幅器３３を介してＡ／Ｄ変換器３４が接続されている。
【００１２】
測定制御部４０には、好ましくは中央演算処理ユニット（ＣＰＵ）やマイクロコンピュータ等が用いられる。測定制御部４０は、Ａ／Ｄ変換器２４にてデジタル変換された被測定電池Ｂの端子間電圧値Ｖ１と、Ａ／Ｄ変換器３４にてデジタル変換された被測定電池Ｂに流れる電流の電圧換算値Ｖ２とから、被測定電池Ｂの内部インピーダンスＺを算出し、例えば表示部４１に表示する。
【００１３】
まず、測定前の準備ステップとして、第１および第２開閉スイッチ１２，３２をともに「開（オフ）」として、被測定電池Ｂを交流測定信号発生部１０と電流検出部３０とから切り離し、第２直流電圧発生部２２の可変直流電源２２ｂの発生電圧を「０」として、電圧測定部２０にて被測定電池Ｂの電池電圧（起電力）＋Ｖｂが測定される。
【００１４】
そして、第１直流電圧発生部１１の可変直流電源１１ｂは、第１直流電圧発生部１１より被測定電池Ｂの電池電圧＋Ｖｂに実質的に等しい＋Ｖｂなる直流電圧を発生する。同様に、第２直流電圧発生部２２の可変直流電源２２ｂは、第２直流電圧発生部２２より、被測定電池Ｂの電池電圧＋Ｖｂとは逆極性の−Ｖｂなる直流電圧を発生する。
【００１５】
次に、測定ステップとして、第１および第２開閉スイッチ１２，３２をともに「閉（オン）」にする。これにより、交流測定信号発生部１０からの交流信号に、第１直流電圧発生部１１より発生された＋Ｖｂなる直流電圧が加算（重畳）されて被測定電池Ｂに供給される。このとき、交流測定信号発生部１０の信号源側と被測定電池Ｂは、直流的に同電位であるため、電流検出系の電流検出部３０には、交流測定信号発生部１０から供給される測定用の交流信号ＩＳのみが流れることになる。
【００１６】
また、電圧検出系では、被測定電池Ｂの端子間（Ｔ１，Ｔ２）電圧が差動増幅器２１にて検出され、その端子間（Ｔ１，Ｔ２）電圧には電池電圧＋Ｖｂが含まれているが、電池電圧＋Ｖｂは、第２直流電圧発生部２２により発生される−Ｖｂなる直流電圧により打ち消されるため、測定用の交流信号ＩＳによる電圧降下分のみが電圧測定部２０にて測定されることになる。
【００１７】
このように、電流検出系の電流検出部３０には、被測定電池Ｂの直流電流が流れず、また、電圧検出系の電圧測定部２０においても、被測定電池Ｂの電池電圧Ｖｂが打ち消されるため、各検出系は直流により飽和することなく、各増幅器２３，３３で、それら検出系の交流信号を所定のゲインで増幅することができる。
【００１８】
電圧測定部２０にて測定された端子間（Ｔ１，Ｔ２）電圧Ｖ１は、増幅器２３にて所定に増幅されたのち、Ａ／Ｄ変換器２４にてデジタル値に変換され、測定制御部４０に与えられる。また、被測定電池Ｂに流れる電流ＩＳは、電流検出部３０にて電圧として検出され、その電圧換算値Ｖ２は、増幅器３３にて所定に増幅されたのち、Ａ／Ｄ変換器３４にてデジタル値に変換され、測定制御部４０に与えられる。
【００１９】
測定制御部４０は、電圧検出系のＡ／Ｄ変換器２４から入力される端子間（Ｔ１，Ｔ２）電圧Ｖ１と、電流検出系のＡ／Ｄ変換器２４から入力される電流ＩＳの電圧換算値Ｖ２とから、Ｖ１／Ｖ２なる演算を行って被測定電池Ｂの内部インピーダンスＺを算出し、例えば表示部４１に表示する。
【発明の概要】
【発明が解決しようとする課題】
【００２０】
従来、測定用の交流信号を電池に印加することにより、電池の内部インピーダンスを測定する場合においては、サンプリングのタイミングとは無関係に測定用の交流信号が出力された状態が維持されていたか、または、サンプリングが終了された時点で、交流信号の出力が停止されていた。
【００２１】
例えば、上述した特許文献１に記載の技術を用いた場合、すなわち、カップリングコンデンサにより電池電圧をキャンセルするようになされている場合、測定対象の接続にかかわらず、常に測定用の交流信号が出力されている。
【００２２】
また、上述した特許文献２に記載の技術を用いた場合、サンプリングが終了した時点で測定用交流信号の出力が停止されていた。そのため、例えば、図２に示されるように、測定用の交流信号の停止タイミングが、交流信号が０位相となるタイミングからずれてしまった分だけ、被測定対象となる電池に電荷が充電または放電してしまう。このため、測定前の電圧値と測定後の電圧値が異なるものとなってしまう。
【００２３】
近年、例えば、携帯型電話機などの小容量のバッテリーが多く利用されるようになり、容量の小さな電池を精度良く測定することが求められる。小容量のバッテリーにおいては、測定のために被測定対象となる電池に電荷が充電または放電してしまった場合、測定前の電圧値と測定後の電圧値とが顕著に変わり、電池の生産ラインにおいて、検査工程での測定の前後で電池の状態が変わってしまうことは好ましくない。
【００２４】
そこで、本発明は、上記課題を解決すること、すなわち、被測定対象となる電池に電荷を充電したり、または、電池が電荷を放電してしまうことを防ぐことができる、測定装置および測定方法、ならびにプログラムを提供することを目的とする。
【課題を解決するための手段】
【００２５】
上記課題を解決するために、本発明の受信装置の一側面は、測定用交流信号を発生する交流信号発生手段と、交流信号発生手段により発生された測定用交流信号が印加された電池の電圧を検出する電圧検出手段と、電圧検出手段により検出された電池の電圧値を基にインピーダンスを測定するインピーダンス測定手段と、交流信号発生手段による測定用交流信号の発生を制御する制御手段とを備え、制御手段は、交流信号発生手段により発生された測定用交流信号のＮ周期ごとに割り込みを発生するタイマ機能を有し、インピーダンス測定手段による測定期間においては、割り込みを許可せず、インピーダンス測定手段による測定期間が終了したのち、割り込みを許可し、許可された割り込みが発生した場合、交流信号発生手段を制御して、測定用交流信号を停止させることを特徴とする。
【００２６】
本発明の測定装置の他の側面は、交流信号を発生しない状態で、電池の両端の電圧をサンプリングして、サンプリング結果の平均値を求めることにより、電池の直流電圧値を測定する直流電圧値測定手段をさらに備え、電圧検出手段は、直流電圧値測定手段により測定された電池の直流電圧値の逆方向電圧が印加された信号を、ゲインアンプを用いて増幅することにより電圧を検出することを特徴とする。
【００２７】
本発明の測定方法の一側面は、測定用交流信号を発生する交流信号発生ステップと、交流信号発生ステップの処理により発生された測定用交流信号のＮ周期ごとに割り込みを発生する割り込み発生ステップと、交流信号発生ステップの処理により発生された測定用交流信号が印加された電池の電圧を検出する電圧検出ステップと、電圧検出ステップの処理により検出された電池の電圧値を基にインピーダンスを測定するインピーダンス測定ステップとを含み、インピーダンス測定ステップの処理による測定期間においては、割り込みを許可せず、インピーダンス測定ステップの処理による測定期間が終了したのち、割り込みを許可し、許可された割り込みが発生した場合、測定用交流信号を停止することを特徴とする。
【００２８】
本発明のプログラムの一側面は、測定用交流信号の発生を制御する交流信号発生制御ステップと、交流信号発生制御ステップの処理により発生された測定用交流信号のＮ周期ごとに割り込みを発生する割り込み発生ステップと、交流信号発生制御ステップの処理により発生された測定用交流信号が印加された電池の電圧の検出を制御する電圧検出制御ステップと、電圧検出制御ステップの処理により検出された電池の電圧値を基にインピーダンスを測定するインピーダンス測定ステップとを含み、インピーダンス測定ステップの処理による測定期間においては、割り込みを許可せず、インピーダンス測定ステップの処理による測定期間が終了したのち、割り込みを許可し、許可された割り込みが発生した場合、測定用交流信号を停止することを特徴とする。
【発明の効果】
【００２９】
本発明によれば、被測定対象となる電池に電荷が充電したり、または、電池が電荷を放電してしまうことを防ぐことができる。
【図面の簡単な説明】
【００３０】
【図１】従来の測定装置の概要を示す図である。
【図２】従来の測定装置における電池への電圧の印加について説明するための図である。
【図３】測定装置の構成について説明するための図である。
【図４】測定装置の処理について説明するためのフローチャートである。
【図５】測定装置における電池への電圧の印加について説明するための図である。
【発明を実施するための形態】
【００３１】
以下、本発明の一実施の形態の測定装置について、図３〜図５を参照しながら説明する。
【００３２】
図３を参照して、測定装置５１について説明する。
【００３３】
測定装置５１は、入力部７１、制御部７２、信号発生部７３、電圧検出部７４、ＤＣＶ測定部７５、電池電圧キャンセル処理部７６、および、出力部７７を含んで構成されている。
【００３４】
入力部７１は、例えば、ボタン、キー、タッチパネルなどの入力デバイスで構成され、ユーザの操作入力を受け、制御部７２に、ユーザの操作入力を示す信号を供給する。
【００３５】
制御部７２は、測定器の全体を制御するものであり、その内部にタイマを有している。また、制御部７２は、電圧検出部７４から供給された電圧測定結果に基づいて、被測定物である電池のインピーダンスを求め、たとえば、同期整流検波方式を用いて、Ｒ−Ｘ、Ｚ―θ、Vrms−Irmsなどを算出し、出力部７７を制御して、測定結果を出力させる。測定結果としては、算出されたそれぞれの値以外にも、電圧値が含まれていてもよい。
【００３６】
なお、制御部７２は、例えば、ＣＰＵ（Central Processing Unit）などの演算装置を用いて実現することが可能であるが、１つのＣＰＵを用いて、上述した測定結果を演算する機能と、測定器の全体を制御する機能とを実現するようにしてもよいし、複数のＣＰＵを用いて、上述した測定結果を演算する機能と、測定器の全体を制御する機能とを実現するようにしてもよい。
【００３７】
信号発生部７３は、例えば、ＤＤＳ（Direct Digital Synthesizer）などの交流信号発生回路と、被測定物である電池の両端と接続するための端子を含んで構成され、制御部７２の制御に基づいて、測定用の交流信号を発生し、所定のタイミングで出力を開始したり、出力を停止することができるようになされている。また、信号発生部７３から発生される測定用の交流信号は、電池に対して交流の定電流が流れるように制御されている。
【００３８】
なお、ＤＤＳへのレジスタ設定が通信を用いているためにＤＤＳの動作の制御にタイムラグが発生してしまう場合、ＤＤＳの出力段にスイッチを設け、制御部７２の制御に基づいてスイッチのON/OFFを制御することにより、信号発生部７３からの測定用交流信号の発生のタイムラグを防止することができる。
【００３９】
電圧検出部７４は、被測定物である電池の両端と接続するための端子から入力される信号に基づいて、信号発生部７３により発生された測定用交流信号が印加された電池の電位を測定して、内部のゲインアンプで増幅したのち、Ａ／Ｄ変換を実行して、測定結果を制御部７２に供給する。
【００４０】
ＤＣＶ測定部７５は、測定開始に先立って、交流信号を発生しない状態において、任意の時間、被測定物である電池の両端の電圧をサンプリングして、その電圧値の平均値を求めることにより、被測定物である電池の電圧値、すなわち、直流電圧値を測定し、測定結果を制御部７２に供給する。
【００４１】
電圧検出部７４内に設けられている電池電圧キャンセル処理部７６は、制御部７２からの制御信号に基づいて、ＤＣＶ測定部７５により測定された被測定物である電池の両端の電圧値と逆方向の電圧値を電圧検出部７４に出力して、ゲインアンプに供給される電圧値を、電圧検出部７４に入力される電圧値から被測定物である電池の電圧値を引いた値とする。
【００４２】
出力部７７は、例えば、液晶画面などの表示手段を含んで構成され、制御部７２の制御に基づいて、測定結果やエラー発生などをユーザに通知する。また、ブザー等の音声出力手段を含んで構成し、エラー等が発生した場合、音声を用いてエラーをユーザに通知するようにしてもよい。
【００４３】
次に、図４のフローチャートを参照して、測定器が実行する処理について説明する。
【００４４】
ステップＳ１において、ＤＣＶ測定部７５は、交流信号を印加しない状態で、任意の時間、電圧値をサンプリングする。
【００４５】
ステップＳ２において、ＤＣＶ測定部７５は、サンプリングデータを平均して被測定物の電圧値（直流成分）を算出し、制御部７２に出力する。
【００４６】
ステップＳ３において、制御部７２は、被測定物の直流電圧値の算出結果に基づいて、電池電圧キャンセル処理部７６の出力電圧の方向と大きさを制御する。電池電圧キャンセル処理部７６は、制御部７２からの制御信号に基づいて、ＤＣＶ測定部７５により測定された被測定物である電池の両端の電圧値と逆方向の電圧値を電圧検出部７４に出力する。したがって、ゲインアンプの前段の回路は、電圧検出部７４に入力される電圧から、電池の直流電圧値だけオフセットされた交流電圧信号を発生する。
【００４７】
ステップＳ４において、制御部７２は、交流電圧信号の１周期ごとであって、測定用の交流信号の正弦波が０位相となるタイミングにおいて割り込みが発生するタイマを起動する。
【００４８】
信号発生部７３がＤＤＳを用いて交流信号の発生をスタートさせた場合、信号は０位相から出力される。例えば、測定用交流信号がまず正方向から発生される場合、次に割り込みが発生されるのは、測定用の交流信号の電流値が負から正に切り替わる０位相の時となり、測定用交流信号がまず負方向から発生される場合、次に割り込みが発生されるのは、測定用の交流信号の電流値が正から負に切り替わる０位相の時である
【００４９】
ステップＳ５において、制御部７２は、ステップＳ４の処理において起動されたタイマの割り込みを禁止した状態で、各部を制御し、インピーダンスを測定する。
【００５０】
ステップＳ６において、制御部７２は、インピーダンスの測定が終了したか否かを判断する。ステップＳ６において、インピーダンスの測定が終了していないと判断された場合、処理は、ステップＳ５に戻り、それ以降の処理が繰り返される。
【００５１】
ステップＳ６において、インピーダンスの測定が終了したと判断された場合、ステップＳ７において、制御部７２は、タイマの割り込みを許可する。
【００５２】
ステップＳ８において、制御部７２は、タイマの割り込みが発生したか否かを判断する。ステップＳ８において、タイマの割り込みが発生していないと判断された場合、タイマの割り込みが発生したと判断されるまで、ステップＳ８の処理が繰り返される。
【００５３】
ステップＳ８において、タイマの割り込みが発生したと判断された場合、ステップＳ９において、制御部７２は、信号発生部７３を制御して、交流電圧信号を停止させる。信号発生部７３は、制御部７２の制御に基づいて、交流電圧信号を停止する。
【００５４】
ステップＳ１０において、制御部７２は、同期整流検波方式で、Ｒ−Ｘ、Ｚ―θ、Vrms−Irmsなどの、必要な測定結果を算出し、出力部７７を制御して、測定結果を出力させて、処理が終了される。
【００５５】
このような処理により、交流信号１周期ごとに発生されるタイマ割り込みに基づいて、測定用の交流信号の終了タイミングが制御される。すなわち、インピーダンスの測定が終了した時点で測定用の交流信号の発生が終了されるのではなく、インピーダンスの測定が終了したあと、交流信号１周期ごとに発生される割り込み信号が次に受け付けられたタイミングまで交流信号が発生される。したがって、被測定物である電池に対して交流信号が１周期単位で印加されるので、交流信号により充電された電荷は、交流信号の出力が止まる時点までに放電される、または、交流信号により放電された電荷は、交流信号の出力が止まる時点までに充電される。
【００５６】
インピーダンス測定区間、割り込み信号発生、および、交流信号の出力停止のタイミングの具体例について、図５を用いて説明する。
【００５７】
図４のフローチャートを用いて説明したように、電圧検出部７４に入力される被測定物である電池の両端の電圧から測定物の電圧算出値だけオフセットさせた交流電圧信号が発生され、交流電圧信号の１周期ごとに割り込みが発生するタイマが起動される。
【００５８】
測定区間の開始と同時に、信号発生部７３がＤＤＳを用いて交流信号の発生をスタートさせた場合、測定用の交流信号は０位相から出力される。図５に示されるように、測定用交流信号がまず正方向から発生される場合、割り込みが発生されるのは、測定用の交流信号の電流値が負から正に切り替わる０位相のタイミングごとであり、これは測定用の交流信号の１周期ごととなる。
【００５９】
測定装置５１においては、インピーダンスの測定区間内において発生される割り込み信号は受け付けられない、すなわち、無効とされるので、測定区間内に交流信号は停止されずに発生し続ける。
【００６０】
例えば、図５に示される測定区間終了時に交流信号が停止された場合、測定区間の終了が０位相からずれている分、被測定対象である電池には電荷が充電されてしまう。これに対して、測定装置５１においては、インピーダンスの測定区間終了後にのみ、割り込み信号が受け付けられる。換言すれば、測定区間が終了しても、次の割り込み信号が発生するまでの間は、交流信号は停止されずに発生し続ける。
【００６１】
そして、測定区間終了後、最初に、測定用の交流信号の電流値が負から正に切り替わる０位相となるタイミングにおいて、発生した割り込み信号が受け付けられて、測定用交流信号の出力が停止される。
【００６２】
したがって、測定終了時、および、それ以降に被測定対象である電池に充電された電荷は、測定用交流信号の出力が停止されるまでの間に放電される。
【００６３】
したがって、測定の前後で電池の電圧値が変動することがなくなる。これにより、測定前後の電池の充放電が測定結果に及ぼす影響を防ぐことができるので、例えば、S/N比を改善して測定精度を向上させるために、測定用交流電流の電流値を高くすることが可能となる。
【００６４】
なお、ここでは、測定用の交流信号の１周期ごとに割り込みが発生されるものとして説明したが、測定用の交流信号のＮ周期（Ｎは自然数）ごとに割り込みを発生させた場合も、同様の効果を得ることができることは言うまでもない。
【００６５】
なお、０位相を監視するためには、上述した以外の方法を用いることが可能である。
【００６６】
測定装置５１において、例えば、FPGA(field-programmable gate array)などを用いてゼロクロスを検出する回路を用いることにより、制御部７２に上述した場合と同様の割り込み信号を発生させるようにすることができる。
【００６７】
また、例えば、制御部７２は、電圧検出部７４から供給される電圧検出結果に基づいて、測定用交流電圧の位相を監視し、交流信号の一周期を認識し、測定終了後対応する０位相のタイミングで、信号発生部７３による測定用の交流信号の発生を停止するようにしてもよい。なお、この方法を用いた場合、サンプリング周期が長い場合には、正確に０位相で信号発生部７３による測定用の交流信号の発生を停止することができない可能性があるが、サンプリング周期が十分短い場合には、被測定対象である電池に充電された電荷を、測定用交流信号の出力が停止されるまでの間に放電させ、放電された電荷を、測定用交流信号の出力が停止されるまでの間に充電させることが充分に可能である。
【００６８】
また、測定対象を計測機に接続または取り外すタイミングによっては、接続時と取り外し時における交流信号の位相がずれてしまうので、同様にして、被測定対象となる電池に電荷が充電または放電されてしまい、測定前後で電圧が異なってしまう可能性がある。
【００６９】
このような場合、制御部７２は、出力部７７を制御して、例えば、「正しく測定できていません」などのエラー表示を表示させたり、ブザー音を出力するようにしてもよい。
【００７０】
なお、被測定電池の直流成分が測定回路内に流れ込まないように、交流測定信号の発生部と被測定電池との間に直流阻止用のコンデンサを接続するとともに、電圧の測定部の入力段にも直流阻止用のコンデンサを接続して測定を実施するような場合においても、上述した場合と同様にして、交流信号１周期ごとに発生されるタイマ割り込みに基づいて、測定用の交流信号の終了タイミングを制御することにより、交流信号により充電された電荷は、交流信号の出力が止まる時点までに放電される、または、交流信号により放電された電荷は、交流信号の出力が止まる時点までに充電されるので、測定の前後で電池の電圧値が変動することがなくなる。
【００７１】
上述した一連の処理は、ハードウェアにより実行することもできるし、ソフトウエアにより実行することもできる。一連の処理をソフトウエアにより実行する場合には、そのソフトウエアを構成するプログラムが、専用のハードウェアに組み込まれているコンピュータ、または、各種のプログラムをインストールすることで、各種の機能を実行することが可能な、例えば汎用のパーソナルコンピュータなどに、プログラム記録媒体からインストールされる。
【００７２】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【００７３】
また、本発明の実施の形態は、上述した実施の形態に限定されるものではなく、本発明の要旨を逸脱しない範囲において種々の変更が可能である。
【符号の説明】
【００７４】
５１…測定装置、  ７１…入力部、  ７２…制御部、  ７３…信号発生部、  ７４…電圧検出部、  ７５…ＤＣＶ測定部、  ７６…電池電圧キャンセル処理部、  ７７…出力部
【図１】
0006353758.tif 000002
【図２】
0006353758.tif 000003
【図３】
0006353758.tif 000004
【図４】
0006353758.tif 000005
【図５】
0006353758.tif 000006